(57)【要約】      （修正有）【課題】電源の確保が容易で、簡便な取り付け工事により素人にも簡単設置が可能となり、人に対する安全対策を実現する自動消毒装置を提供する。【解決手段】既設ソケット３１に結合可能な接続部を有する自動消毒装置１０であって、人感センサ３４、深紫外線光源３３、及び照明光源又は照明光源用コネクタを備え、深紫外線源、及び照明光源がＬＥＤであり、人感センサからの信号に基づいて照明光源又は照明光源用コネクタへの給電を制御すると共に、給電の停止期間に深紫外線源から深紫外線照射を行い、所定の時間の経過後に深紫外線照射を停止する制御装置を備える。【選択図】図３
0003234853.tif 000002
【実用新案登録請求の範囲】
【請求項１】
既設ソケットに結合可能な接続部を有する自動消毒装置であって、
人感センサ、深紫外線源、及び照明光源又は照明光源用コネクタを備え、
前記深紫外線源、及び前記照明光源がLEDであり、
前記人感センサからの信号に基づいて前記照明光源又は前記照明光源用コネクタへの給電を制御すると共に、前記給電の停止期間に前記深紫外線源から深紫外線照射を行い所定の時間の経過後に前記深紫外線照射を停止する制御装置を備える自動消毒装置。
【請求項２】
前記接続部が、Ｅシリーズ口金であるとともに、前記照明光源用コネクタがＥシリーズコンセントであることを特徴とする請求項１に記載の自動消毒装置。
【請求項３】
前記自動消毒装置がさらに前記既設ソケットへの前記給電をＯＮ／ＯＦＦするスイッチに被せるカバーを有し、該カバーが前記スイッチを常にＯＮ状態に保持することを特徴とする請求項１乃又は２に記載の自動消毒装置。
【考案の詳細な説明】
【技術分野】
【０００１】
本考案は、既存の照明用ランプのコンセントへ取り付けられることで、電源の確保、配線取り付け工事の省略が可能となり、照明用ランプの消灯期間に自動消毒を行う自動消毒装置に関するものである。
【背景技術】
【０００２】
新型コロナウイルスが世界的に大流行の昨今、予防対策としてマスク着用、手洗い、接触箇所のアルコール消毒が実施されているが、これらを完全に実施することは難しい。家庭内感染を防ぐためにも複数の人が使用するトイレ内の消毒の必要性が高い。今後はコロナウイルスだけではなくＯ−１５７やノロウイルス等にも気を配りながら消毒を行うことになるが、毎回の消毒作業は手間暇が掛かり消毒液の経緯もその負担も大きくなる。新たに深紫外線による消毒装置も数多く開発販売されているが、簡便に使えるものは未だ市場に出回っておらず深紫外線源のＯＮ−ＯＦＦ動作も手動式による装置がほとんどである。
【先行技術文献】
【特許文献】
【０００３】
【特許文献１】特表２０１３−５２５９９１号公報
【特許文献２】特開２０１７−１２４２２０号公報
【考案の概要】
【考案が解決しようとする課題】
【０００４】
照明と紫外線光源を備えた照明装置が特許文献１に開示されている。照明と空気浄化を目的とする装置で周囲を抗菌性物質で処理されたカバーで覆い装置内部から照明光と紫外線が放射される。この装置は空気の対流を作るためにファンを駆動するので十分な容量の外部電源が必要になる。
【０００５】
特許文献２には、紫外線ランプと人の出入りを検知するドアセンサを備えた室内減菌方法及びシステムが開示されている。紫外線の放射には複数の紫外線ランプを載せた輻射器とドアセンサの設置が必要で設置には、電源の確保やセンサの設置工事が必要になる。
【０００６】
そこで、電源の確保が容易で、簡便な取り付け工事により素人にも簡単設置が可能となり、人に対する安全対策を実現する自動消毒装置の実現が課題となる。  
【課題を解決するための手段】
【０００７】
上記の課題を解決するため解決策として、請求項１に記載の考案は、既設ソケットに結合可能な接続部を有する自動消毒装置であって、人感センサ、深紫外線源、及び照明光源又は照明光源用コネクタ備え、前記深紫外線源、及び前記照明光源がLEDであり、前記人感センサからの信号に基づいて前記照明光源又は照明光源用コネクタへの給電を制御すると共に、前記給電の停止期間に前記深紫外線源から深紫外線照射を行い所定の時間の経過後に前記深紫外線照射を停止する制御装置を備える自動消毒装置である。
【０００８】
既設ソケットに結合可能な接続部を有する自動消毒装置であって、人感センサ、深紫外線源、及び照明光源又は照明光源用コネクタ備え、前記深紫外線源、及び前記照明光源がLEDであり、前記人感センサからの信号に基づいて前記照明光源又は照明光源用コネクタへの給電を制御すると共に、前記給電の停止期間に前記深紫外線源から深紫外線照射を行い所定の時間の経過後に前記深紫外線照射を停止する制御装置を備える自動消毒装置を簡単に設置が可能となり、人に対する安全対策を実現する消毒の実現が可能となる。      
【０００９】
請求項２に記載の考案は、前記接続部が、Ｅシリーズ口金であるとともに、前記照明光源用コネクタがＥシリーズコンセントであることを特徴とする請求項１に記載の自動消毒装置である。
【００１０】
前記接続部が、Ｅシリーズ口金であるとともに、前記照明光源用コネクタがＥシリーズコンセントであるので、市販の部品の流用が容易になる。
【００１１】
請求項３に記載の考案は、前記消毒装置がさらに前記既設ソケットへの前記給電をＯＮ／ＯＦＦするスイッチに被せるカバーを有し、該カバーが前記スイッチを常にＯＮ状態に保持することを特徴とする請求項１又は２記載の自動消毒装置である。
【００１２】
前記消毒装置がさらに前記既設ソケットへの前記給電をＯＮ／ＯＦＦするスイッチに被せるカバーを有し、該カバーが前記スイッチを常にＯＮ状態に保持するので、今まで使用していた電灯スイッチを安易に押せなくなる器具である。本装置は本電源が切られていてはその効果が発揮できないため、給電源である既設ソケットのスイッチを常にＯＮ状態にしておく必要がある。
【００１３】
このカバーは既存のスイッチプレートに差し込むだけで簡単に装着可能な構造となっている。尚スイッチに触らない習慣が付いたら、このスイッチカバーは簡単に取り外すことができる。
【図面の簡単な説明】
【００１４】
【図１】設置された自動消毒装置の外観図である。
【図２】自動消毒装置を設置する前半の様子の説明図である。
【図３】自動消毒装置を設置する後半の様子の説明図である。
【図４】（Ａ）第２実施例の自動消毒装置、（Ｂ）第２実施例の自動消毒装置を設置した状態の説明図である。
【図５】トイレを使用する人の動きの説明図である。
【図６】（Ａ）人が不在の状態、（Ｂ）人が居るときの説明図である。。
【図７】（Ａ）制御回路の構成図、（Ｂ）制御回路の詳細図である。
【図８】制御のフロー図である。
【図９】（Ａ）カバーの正面図、（Ｂ）カバーの側面図である。
【図１０】（Ａ）カバー無しのスイッチ、（Ｂ）カバー装着時のスイッチの説明図である。
【考案を実施するための形態】
【００１５】
「第１実施例」
図１に第１実施例の自動消毒装置が設置された様子を示す。トイレや洗面所などの天井には設備として電球を取り付けるための既設ソケットが備えられる。通常、既設ソケットはEシリーズと言われるＥ２６，Ｅ１７などの口金に結合する。このソケットへ電球のＥ２６などの口金を入れて電球を装着する。そして本考案の自動消毒装置は既設ソケットへ結合可能な接続部（Ｅシリーズの口金）を有しているので、既設ソケットへ容易に装着することができる。
【００１６】
図２、図３に既設ソケット３１から電球３０を外し、本考案の自動消毒装置１０を取り付ける様子を示す。図２（Ａ）のように電球３０が既設ソケット３１に取り付けられている。これを図２（Ｂ）のように取り外す。代わりに本考案の自動消毒装置１０を既設ソケット３１へ取り付ける。
【００１７】
図３（Ａ）に自動消毒装置１０へ電球３０を取り付ける様子を示す。図３（Ｂ）は自動消毒装置１０へ電球３０が取り付けられた様子を示す。電球３０は自動消毒装置１０に備えられた照明光源用コネクタである電球用のソケットへ挿入される。
【００１８】
図３（Ｃ）は電球３０が装着された自動消毒装置１０を下から見た図である。自動消毒装置１０には、電球に妨げられないように、電球の外径よりも大きな位置へ深紫外線光源３３と人感センサ３４が備えられている。
【００１９】
「第２実施例」
図４に示すのは、照明用電球７２に傘７１が付いている場合に対応する本考案の第２実施例の自動消毒装置６０である。傘７１の外径よりも大きな基盤には天井７０に設けられた既設ソケット６３へ結合する接続部６５となるEシリーズの口金（例：Ｅ２６，Ｅ１７など）が上面に設けられていて、下面には照明光源用コネクタが設けられている。そこへ傘７１を被った電球７２を結合する。基盤には人感センサ６２、深紫外線光源となるＬＥＤ６１が配置される。照明には照明光源用コネクタへ電球を結合してもよいが、基盤に照明用の可視光ＬＥＤ６４を配置しても良い。
【００２０】
深紫外線（ＵＶ−Ｃ）は空気中や物体表面のウイルスや細菌などの微生物のＤＮＡとＲＮＡをを破壊し不活性化することで消毒作用を発揮する。ＡｌＧａＮによるＬＥＤは深紫外線の光源として実用化されているので、今回は深紫外線の光源としてＬＥＤを採用した。ところで、消毒効果を発揮する深紫外線は一部の例外（２２２ｎｍ）を除いて人体にも有害である。そこで、人の不在を検出して親紫外線による消毒を行う仕組みを以下に説明する。
【００２１】
図５にトイレを利用する人の動きを示す。図５（Ａ）で人がドアを開けてトイレへ入る図５（Ｂ）で人が便器に座って用を足す。図５（Ｃ）で用が済んだ人はドアを開けて外へ出てドアを閉める。
【００２２】
図５に示した人の動きに即して自動消毒装置１０は消毒を行う。図６（Ａ）は無人の状態で照明も消灯状態である。図６（Ｂ）の（Ｂ−１）で人がトイレで用を足している。この状態で人の存在を人感センサ３４が感知して照明用光源又は照明光源用コネクタへの給電を制御装置が行い照明が行われる。
【００２３】
図６の（Ｂ−２）は人が不在の期間に深紫外線の照射による消毒が行われる様子を示す。次に、照明と消毒の制御を行う制御装置の説明をする。
【００２４】
図７（Ａ）に制御装置の構成を示す。制御装置には制御回路とこれへ人の存在の感知信号を送る人感センサ３４からの信号を伝える人感部１８と、リレー部２０，２２とが接続される。リレー部２０，２２は照明光源と深紫外線源への給電を行うリレーへを含む。
【００２５】
図７（Ｂ）に制御装置の回路構成を示す。回路への電源は既設の電灯用のソケットへ結合する電球口金１１から供給されるＡＣ１００Ｖを回路で使用するＤＣ５Ｖへ変換する電源部１２から供給される。ＤＣ５Ｖはリレー制御回路１４，１５へも供給され制御回路部１３からの信号に基づいてリレー制御回路１４，１５がリレーを制御する。
【００２６】
制御回路部１３はマイコンなどのプログラム動作可能なデバイスを含む。制御回路部１３はソフトウエアで動いてタイマー動作も行う。リレー制御回路１４は照明光源用コネクタへのＡＣ１００Ｖの供給を制御する。リレー制御回路１５は深紫外線源となるＬＥＤ１６へのDV給電を制御する。
【００２７】
図８に示すフロー図を用いて自動消毒装置の動作を説明する。Ｓ０：自動消毒装置１０、６０が既設のコンセントへ接続部を結合させてＡＣ１００Ｖが供給されると自動消毒装置１０、６０は動作を開始する。Ｓ１：人感センサが人を感知するまで待機状態になる。
【００２８】
Ｓ２：人感センサが人を感知すると制御回路１３が照明光源又は照明光源用コネクタへの給電を行い照明がＯＮになる。Ｓ３：人感センサ３４，６２が人の存在を検知している間は照明が持続する。Ｓ４：人感センサが３４，６２が人の存在を検知しなくなると照明がＯＦＦになる。
【００２９】
Ｓ５：消毒用の深紫外線源へ給電され深紫外線の照射による消毒が行われる。Ｓ６：紫外線の照射をしている間に人を感知するとＳ１０で消毒回路がＯＦＦとなる。Ｓ７：タイマーがスタートする。タイマーの時間設定は深紫外線光源の強度と使用する部屋の広さで決まる所定の期間とする。
【００３０】
Ｓ８：人を感知するとＳ１０で消毒回路がＯＦＦとなる。人が居ないことを検知している間はタイマーが作動する、Ｓ９：タイマーが所定の期間を経過するとＳ１０へ移行する。
Ｓ１０：消毒回路ＯＦＦとなり深紫外線源への給電を止める。
【００３１】
本考案の自動消毒装置は既設の電灯用ソケットから給電されて作動するので電灯用ソケットに常にＡＣ１００Ｖが給電されていることが必要である。そこで、図９に示す電灯用ソケットのスイッチを常時ＯＮにするカバーを用意した。図９（Ａ）はカバーの正面図、図９（Ｂ）はカバーをスイッチへ取り付けた状態の側面図である。壁５１へ取り付けられるスイッチ５０と壁５１の間へカバーの差込部を差し込みスイッチのＯＦＦ動作を禁止する。
【００３２】
図１０（Ａ）がスイッチの正面図、図１０（Ｂ）がスイッチへカバーを取り付けた状態の正面図である。２連のスイッチの上部が照明用のスイッチであり、ＯＮ状態でカバーを取り付けることで常時スイッチＯＮが保持される。
【符号の説明】
【００３３】
１０  自動消毒装置
１１  接続部（Ｅシリーズ口金）
１２  電源装置
１３  制御回路部
１４，１５  リレー制御回路
１６  深紫外線ＬＥＤ
１７  照明光源用コネクタ
１８  人感センサ部
１９  制御回路
２０  リレー部
２１  深紫外線光源
２２  リレー部
２３  照明光源
３０  電球
３１  既設ソケット
３２  接続部
３３  深紫外線光源
３４  人感センサ
４０  カバー
５０  スイッチ
５１  壁
６０  自動消毒装置
６１  深紫外線光源
６２  人感センサ
６３  照明光源用コネクタ
６４  照明光源（ＬＥＤ）
６５  接続部
７０  天井
７１  傘
７２  電球
【図１】
0003234853.tif 000003
【図２】
0003234853.tif 000004
【図３】
0003234853.tif 000005
【図４】
0003234853.tif 000006
【図５】
0003234853.tif 000007
【図６】
0003234853.tif 000008
【図７】
0003234853.tif 000009
【図８】
0003234853.tif 000010
【図９】
0003234853.tif 000011
【図１０】
0003234853.tif 000012